(57)【要約】      （修正有）【課題】左側耳掛け紐及び右側耳掛け紐の係止位置を着用者の適宜位置に合わせることができるマスクを提供する。【解決手段】左側耳掛け紐２の一端はマスク本体１の左側下方に取り付けられ、中途はマスク本体１の左側上方開口部１ａを通り、先端は第１の面状ファスナー６が取り付けられ、右側耳掛け紐３の一端はマスク本体１の右側下方に取り付けられ、中途はマスク本体１の右側上方開口部を通り、先端は第２の面状ファスナー７が取り付けられ、上カバー体４がマスク本体１の内側に折り返された状態にあって、上端縁ＲＵの下方左側に上端縁ＲＵに沿って設けられた第１の被係止部８に、第１の面状ファスナー６が、上カバー体４がマスク本体１の内側に折り返された状態にあって、上端縁ＲＵの下方右側に上端縁ＲＵに沿って設けられた第２の被係止部９に、第２の面状ファスナー７が、それぞれ係止する。【選択図】図１
2015144754.tif 000002
【特許請求の範囲】
【請求項１】
着用者の鼻口部を覆うマスク本体と、
このマスク本体に前記着用者の側から見て左側に取り付けられ、左側耳に装着する左側耳掛け紐と、
前記マスク本体に前記着用者の側から見て右側に取り付けられ、右側耳に装着する右側耳掛け紐と、を備えたマスクであって、
前記マスク本体の上端縁を介して前記マスク本体の内側に折り返された上カバー体は、広げて鼻周囲を覆うものであり、
前記左側耳掛け紐の一端は、前記着用者の側から見て、前記マスク本体の左側下方に取り付けられ、前記左側耳掛け紐の中途は、前記着用者の側から見て、前記マスク本体の左側上方開口部を通り、前記左側耳掛け紐の先端は、第１の面状ファスナーが取り付けられ、
前記右側耳掛け紐の一端は、前記着用者の側から見て、前記マスク本体の右側下方に取り付けられ、前記右側耳掛け紐の中途は、前記着用者の側から見て、前記マスク本体の右側上方開口部を通り、前記右側耳掛け紐の先端は、第２の面状ファスナーが取り付けられ、
前記上カバー体が前記マスク本体の内側に折り返された状態にあって、前記着用者の側から見て、前記上カバー体の部位であって、前記上端縁の下方左側に前記上端縁に沿って設けられた第１の被係止部に、前記第１の面状ファスナーが、
前記上カバー体が前記マスク本体の内側に折り返された状態にあって、前記着用者の側から見て、前記上カバー体の部位であって、前記上端縁の下方右側に前記上端縁に沿って設けられた第２の被係止部に、前記第２の面状ファスナーが、
それぞれ係止する
ことを特徴とするマスク。                             
【請求項２】
着用者の鼻口部を覆うマスク本体と、
このマスク本体に前記着用者の側から見て左側に取り付けられ、左側耳に装着する左側耳掛け紐と、
前記マスク本体に前記着用者の側から見て右側に取り付けられ、右側耳に装着する右側耳掛け紐と、を備えたマスクであって、
前記マスク本体の下端縁を介して前記マスク本体の内側に折り返された下カバー体は、広げて下顎を覆うものであり、
前記左側耳掛け紐の一端は、前記着用者の側から見て、前記マスク本体の左側上方に取り付けられ、前記左側耳掛け紐の中途は、前記着用者の側から見て、前記マスク本体の左側下方開口部を通り、前記左側耳掛け紐の先端は、第１の面状ファスナーが取り付けられ、
前記右側耳掛け紐の一端は、前記着用者の側から見て、前記マスク本体の右側上方に取り付けられ、前記右側耳掛け紐の中途は、前記着用者の側から見て、前記マスク本体の右側下方開口部を通り、前記右側耳掛け紐の先端は、第２の面状ファスナーが取り付けられ、
前記下カバー体が前記マスク本体の内側に折り返された状態にあって、前記着用者の側から見て、前記下カバー体の部位であって、前記下端縁の上方左側に前記下端縁に沿って設けられた第１の被係止部に、前記第１の面状ファスナーが、
前記下カバー体が前記マスク本体の内側に折り返された状態にあって、前記着用者の側から見て、前記下カバー体の部位であって、前記下端縁の上方右側に前記下端縁に沿って設けられた第２の被係止部に、前記第２の面状ファスナーが、
それぞれ係止する
ことを特徴とするマスク。
【請求項３】
着用者の鼻口部を覆うマスク本体と、
このマスク本体に前記着用者の側から見て左側に取り付けられ、左側耳に装着する左側耳掛け紐と、
前記マスク本体に前記着用者の側から見て右側に取り付けられ、右側耳に装着する右側耳掛け紐と、を備えたマスクであって、
前記左側耳掛け紐の一端は、前記着用者の側から見て、前記マスク本体の左側下方に取り付けられ、前記左側耳掛け紐の中途は、前記着用者の側から見て、前記マスク本体の左側上方開口部を通り、前記左側耳掛け紐の先端は、第１の面状ファスナーが取り付けられ、
前記右側耳掛け紐の一端は、前記着用者の側から見て、前記マスク本体の右側下方に取り付けられ、前記右側耳掛け紐の中途は、前記着用者の側から見て、前記マスク本体の右側上方開口部を通り、前記右側耳掛け紐の先端は、第２の面状ファスナーが取り付けられ、
前記着用者の側から見て、前記マスク本体の裏面の上端縁の左下方に沿って設けられた第１の被係止部に、前記第１の面状ファスナーが、
前記着用者の側から見て、前記マスク本体の裏面の上端縁の右下方に沿って設けられた第２の被係止部に、前記第２の面状ファスナーが、
それぞれ係止する
ことを特徴とするマスク。                             
【請求項４】
着用者の鼻口部を覆うマスク本体と、
このマスク本体に前記着用者の側から見て左側に取り付けられ、左側耳に装着する左側耳掛け紐と、
前記マスク本体に前記着用者の側から見て右側に取り付けられ、右側耳に装着する右側耳掛け紐と、を備えたマスクであって、
前記マスク本体の上端縁を介して前記マスク本体の内側に折り返された上カバー体は、広げて鼻周囲を覆うものであり、
前記左側耳掛け紐の一端は、前記着用者の側から見て、前記マスク本体の左側下方に取り付けられ、前記左側耳掛け紐の中途は、前記着用者の側から見て、前記マスク本体の左側上方開口部を通り、前記左側耳掛け紐の先端は、第１の面状ファスナーが取り付けられ、
前記右側耳掛け紐の一端は、前記着用者の側から見て、前記マスク本体の右側下方に取り付けられ、前記右側耳掛け紐の中途は、前記着用者の側から見て、前記マスク本体の右側上方開口部を通り、前記右側耳掛け紐の先端は、第２の面状ファスナーが取り付けられ、
前記上カバー体の表面全体に亘って設けられた被係止部に、前記第１の面状ファスナーと前記第２の面状ファスナーが、
それぞれ係止する
ことを特徴とするマスク。                             
【請求項５】
着用者の鼻口部を覆うマスク本体と、
このマスク本体に前記着用者の側から見て左側に取り付けられ、左側耳に装着する左側耳掛け紐と、
前記マスク本体に前記着用者の側から見て右側に取り付けられ、右側耳に装着する右側耳掛け紐と、を備えたマスクであって、
前記マスク本体の下端縁を介して前記マスク本体の内側に折り返された下カバー体は、広げて下顎を覆うものであり、
前記左側耳掛け紐の一端は、前記着用者の側から見て、前記マスク本体の左側上方に取り付けられ、前記左側耳掛け紐の中途は、前記着用者の側から見て、前記マスク本体の左側下方開口部を通り、前記左側耳掛け紐の先端は、第１の面状ファスナーが取り付けられ、
前記右側耳掛け紐の一端は、前記着用者の側から見て、前記マスク本体の右側上方に取り付けられ、前記右側耳掛け紐の中途は、前記着用者の側から見て、前記マスク本体の右側下方開口部を通り、前記右側耳掛け紐の先端は、第２の面状ファスナーが取り付けられ、
前記下カバー体の表面全体に亘って設けられた被係止部に、前記第１の面状ファスナーと前記第２の面状ファスナーが、
それぞれ係止する
ことを特徴とするマスク。                             
【請求項６】
着用者の鼻口部を覆うマスク本体と、
このマスク本体に前記着用者の側から見て左側に取り付けられ、左側耳に装着する左側耳掛け紐と、
前記マスク本体に前記着用者の側から見て右側に取り付けられ、右側耳に装着する右側耳掛け紐と、を備えたマスクであって、
前記左側耳掛け紐の一端は、前記着用者の側から見て、前記マスク本体の左側下方に取り付けられ、前記左側耳掛け紐の中途は、前記着用者の側から見て、前記マスク本体の左側上方開口部を通り、前記左側耳掛け紐の先端は、第１の面状ファスナーが取り付けられ、
前記右側耳掛け紐の一端を、前記着用者の側から見て、前記マスク本体の右側下方に取り付けられ、前記右側耳掛け紐の中途は、前記着用者の側から見て、前記マスク本体の右側上方開口部を通り、前記右側耳掛け紐の先端は、第２の面状ファスナーが取り付けられ、
前記マスク本体の裏面が全体に亘って設けられた被係止部に、前記第１の面状ファスナーと前記第２の面状ファスナーが、
それぞれ係止する
ことを特徴とするマスク。
【請求項７】
着用者の鼻口部を覆うマスク本体と、
このマスク本体に前記着用者の側から見て左側に取り付けられ、左側耳に装着する左側耳掛け紐と、
前記マスク本体に前記着用者の側から見て右側に取り付けられ、右側耳に装着する右側耳掛け紐と、を備えたマスクであって、
前記左側耳掛け紐の一端は、前記着用者の側から見て、前記マスク本体の左側上方に取り付けられ、前記左側耳掛け紐の中途は、前記着用者の側から見て、前記マスク本体の左側下方開口部を通り、前記左側耳掛け紐の先端は、第１の面状ファスナーが取り付けられ、
前記右側耳掛け紐の一端は、前記着用者の側から見て、前記マスク本体の右側上方に取り付けられ、前記右側耳掛け紐の中途は、前記着用者の側から見て、前記マスク本体の右側下方開口部を通り、前記右側耳掛け紐の先端は、第２の面状ファスナーが取り付けられ、
前記着用者の側から見て、前記マスク本体の裏面の下端縁の左上方に沿って設けられた第１の被係止部に、前記第１の面状ファスナーが、
前記着用者の側から見て、前記マスク本体の裏面の下端縁の右上方に沿って設けられた第２の被係止部に、前記第２の面状ファスナーが、
それぞれ係止する
ことを特徴とするマスク。                             
【請求項８】
着用者の鼻口部を覆うマスク本体と、
このマスク本体に前記着用者の側から見て左側に取り付けられ、左側耳に装着する左側耳掛け紐と、
前記マスク本体に前記着用者の側から見て右側に取り付けられ、右側耳に装着する右側耳掛け紐と、を備えたマスクであって、
前記左側耳掛け紐の一端は、前記着用者の側から見て、前記マスク本体の左側上方に取り付けられ、前記左側耳掛け紐の中途は、前記着用者の側から見て、前記マスク本体の左側下方開口部を通り、前記左側耳掛け紐の先端は、第１の面状ファスナーが取り付けられ、
前記右側耳掛け紐の一端は、前記着用者の側から見て、前記マスク本体の右側上方に取り付けられ、前記右側耳掛け紐の中途は、前記着用者の側から見て、前記マスク本体の右側下方開口部を通り、前記右側耳掛け紐の先端は、第２の面状ファスナーが取り付けられ、
前記マスク本体の裏面が全体に亘って設けられた被係止部に、前記第１の面状ファスナーと前記第２の面状ファスナーが、
それぞれ係止する
ことを特徴とするマスク。
【発明の詳細な説明】
【技術分野】
【０００１】
本発明は、マスクに係り、特に、左側耳掛け紐及び右側耳掛け紐の係止位置を着用者の適宜位置に合わせることができるマスクに関する。
【０００２】
従来、例えば、通気性を有するマスク体の両端部に長さ調整可能な紐を備えたマスクがある（例えば、特許文献１参照）。
このマスクは、開放端の紐のそれぞれを適宜の長さに調整した後、結ぶようにして紐を止着している。
【先行技術文献】
【特許文献】
【０００３】
【特許文献１】実開昭６３−６２１１９号公報
【発明の開示】
【発明が解決しようとする課題】
【０００４】
ところが、いちいち紐の開放端側を結ばねばならず使用勝手が良好でないという問題点があった。
【０００５】
本発明は、上記の問題点を除去するようにしたマスクを提供することを目的とする。
【課題を解決するための手段】
【０００６】
本発明のマスクは、着用者の鼻口部を覆うマスク本体と、このマスク本体に前記着用者の側から見て左側に取り付けられ、左側耳に装着する左側耳掛け紐と、前記マスク本体に前記着用者の側から見て右側に取り付けられ、右側耳に装着する右側耳掛け紐と、を備えたマスクであって、前記マスク本体の上端縁を介して前記マスク本体の内側に折り返された上カバー体は、広げて鼻周囲を覆うものであり、前記左側耳掛け紐の一端は、前記着用者の側から見て、前記マスク本体の左側下方に取り付けられ、前記左側耳掛け紐の中途は、前記着用者の側から見て、前記マスク本体の左側上方開口部を通り、前記左側耳掛け紐の先端は、第１の面状ファスナーが取り付けられ、前記右側耳掛け紐の一端は、前記着用者の側から見て、前記マスク本体の右側下方に取り付けられ、前記右側耳掛け紐の中途は、前記着用者の側から見て、前記マスク本体の右側上方開口部を通り、前記右側耳掛け紐の先端は、第２の面状ファスナーが取り付けられ、前記上カバー体が前記マスク本体の内側に折り返された状態にあって、前記着用者の側から見て、前記上カバー体の部位であって、前記上端縁の下方左側に前記上端縁に沿って設けられた第１の被係止部に、前記第１の面状ファスナーが、前記上カバー体が前記マスク本体の内側に折り返された状態にあって、前記着用者の側から見て、前記上カバー体の部位であって、前記上端縁の下方右側に前記上端縁に沿って設けられた第２の被係止部に、前記第２の面状ファスナーが、それぞれ係止するものである。
【０００７】
また、請求項２記載のマスクは、着用者の鼻口部を覆うマスク本体と、このマスク本体に前記着用者の側から見て左側に取り付けられ、左側耳に装着する左側耳掛け紐と、前記マスク本体に前記着用者の側から見て右側に取り付けられ、右側耳に装着する右側耳掛け紐と、を備えたマスクであって、前記マスク本体の下端縁を介して前記マスク本体の内側に折り返された下カバー体は、広げて下顎を覆うものであり、前記左側耳掛け紐の一端は、前記着用者の側から見て、前記マスク本体の左側上方に取り付けられ、前記左側耳掛け紐の中途は、前記着用者の側から見て、前記マスク本体の左側下方開口部を通り、前記左側耳掛け紐の先端は、第１の面状ファスナーが取り付けられ、前記右側耳掛け紐の一端は、前記着用者の側から見て、前記マスク本体の右側上方に取り付けられ、前記右側耳掛け紐の中途は、前記着用者の側から見て、前記マスク本体の右側下方開口部を通り、前記右側耳掛け紐の先端は、第２の面状ファスナーが取り付けられ、前記下カバー体が前記マスク本体の内側に折り返された状態にあって、前記着用者の側から見て、前記下カバー体の部位であって、前記下端縁の上方左側に前記下端縁に沿って設けられた第１の被係止部に、前記第１の面状ファスナーが、前記下カバー体が前記マスク本体の内側に折り返された状態にあって、前記着用者の側から見て、前記下カバー体の部位であって、前記下端縁の上方右側に前記下端縁に沿って設けられた第２の被係止部に、前記第２の面状ファスナーが、それぞれ係止するものである。
【０００８】
また、請求項３記載のマスクは、着用者の鼻口部を覆うマスク本体と、このマスク本体に前記着用者の側から見て左側に取り付けられ、左側耳に装着する左側耳掛け紐と、前記マスク本体に前記着用者の側から見て右側に取り付けられ、右側耳に装着する右側耳掛け紐と、を備えたマスクであって、前記左側耳掛け紐の一端は、前記着用者の側から見て、前記マスク本体の左側下方に取り付けられ、前記左側耳掛け紐の中途は、前記着用者の側から見て、前記マスク本体の左側上方開口部を通り、前記左側耳掛け紐の先端は、第１の面状ファスナーが取り付けられ、前記右側耳掛け紐の一端は、前記着用者の側から見て、前記マスク本体の右側下方に取り付けられ、前記右側耳掛け紐の中途は、前記着用者の側から見て、前記マスク本体の右側上方開口部を通り、前記右側耳掛け紐の先端は、第２の面状ファスナーが取り付けられ、前記着用者の側から見て、前記マスク本体の裏面の上端縁の左下方に沿って設けられた第１の被係止部に、前記第１の面状ファスナーが、前記着用者の側から見て、前記マスク本体の裏面の上端縁の右下方に沿って設けられた第２の被係止部に、前記第２の面状ファスナーが、それぞれ係止するものである。
【０００９】
また、請求項４記載のマスクは、着用者の鼻口部を覆うマスク本体と、このマスク本体に前記着用者の側から見て左側に取り付けられ、左側耳に装着する左側耳掛け紐と、前記マスク本体に前記着用者の側から見て右側に取り付けられ、右側耳に装着する右側耳掛け紐と、を備えたマスクであって、前記マスク本体の上端縁を介して前記マスク本体の内側に折り返された上カバー体は、広げて鼻周囲を覆うものであり、前記左側耳掛け紐の一端は、前記着用者の側から見て、前記マスク本体の左側下方に取り付けられ、前記左側耳掛け紐の中途は、前記着用者の側から見て、前記マスク本体の左側上方開口部を通り、前記左側耳掛け紐の先端は、第１の面状ファスナーが取り付けられ、前記右側耳掛け紐の一端は、前記着用者の側から見て、前記マスク本体の右側下方に取り付けられ、前記右側耳掛け紐の中途は、前記着用者の側から見て、前記マスク本体の右側上方開口部を通り、前記右側耳掛け紐の先端は、第２の面状ファスナーが取り付けられ、前記上カバー体の表面全体に亘って設けられた被係止部に、前記第１の面状ファスナーと前記第２の面状ファスナーが、それぞれ係止するものである。
【００１０】
また、請求項５記載のマスクは、着用者の鼻口部を覆うマスク本体と、このマスク本体に前記着用者の側から見て左側に取り付けられ、左側耳に装着する左側耳掛け紐と、前記マスク本体に前記着用者の側から見て右側に取り付けられ、右側耳に装着する右側耳掛け紐と、を備えたマスクであって、前記マスク本体の下端縁を介して前記マスク本体の内側に折り返された下カバー体は、広げて下顎を覆うものであり、前記左側耳掛け紐の一端は、前記着用者の側から見て、前記マスク本体の左側上方に取り付けられ、前記左側耳掛け紐の中途は、前記着用者の側から見て、前記マスク本体の左側下方開口部を通り、前記左側耳掛け紐の先端は、第１の面状ファスナーが取り付けられ、前記右側耳掛け紐の一端は、前記着用者の側から見て、前記マスク本体の右側上方に取り付けられ、前記右側耳掛け紐の中途は、前記着用者の側から見て、前記マスク本体の右側下方開口部を通り、前記右側耳掛け紐の先端は、第２の面状ファスナーが取り付けられ、前記下カバー体の表面全体に亘って設けられた被係止部に、前記第１の面状ファスナーと前記第２の面状ファスナーが、それぞれ係止するものである。
【００１１】
また、請求項６記載のマスクは、着用者の鼻口部を覆うマスク本体と、このマスク本体に前記着用者の側から見て左側に取り付けられ、左側耳に装着する左側耳掛け紐と、前記マスク本体に前記着用者の側から見て右側に取り付けられ、右側耳に装着する右側耳掛け紐と、を備えたマスクであって、前記左側耳掛け紐の一端は、前記着用者の側から見て、前記マスク本体の左側下方に取り付けられ、前記左側耳掛け紐の中途は、前記着用者の側から見て、前記マスク本体の左側上方開口部を通り、前記左側耳掛け紐の先端は、第１の面状ファスナーが取り付けられ、前記右側耳掛け紐の一端は、前記着用者の側から見て、前記マスク本体の右側下方に取り付けられ、前記右側耳掛け紐の中途は、前記着用者の側から見て、前記マスク本体の右側上方開口部を通り、前記右側耳掛け紐の先端は、第２の面状ファスナーが取り付けられ、前記マスク本体の裏面が全体に亘って設けられた被係止部に、前記第１の面状ファスナーと前記第２の面状ファスナーが、それぞれ係止するものである。
【００１２】
また、請求項７記載のマスクは、着用者の鼻口部を覆うマスク本体と、このマスク本体に前記着用者の側から見て左側に取り付けられ、左側耳に装着する左側耳掛け紐と、前記マスク本体に前記着用者の側から見て右側に取り付けられ、右側耳に装着する右側耳掛け紐と、を備えたマスクであって、前記左側耳掛け紐の一端は、前記着用者の側から見て、前記マスク本体の左側上方に取り付けられ、前記左側耳掛け紐の中途は、前記着用者の側から見て、前記マスク本体の左側下方開口部を通り、前記左側耳掛け紐の先端は、第１の面状ファスナーが取り付けられ、前記右側耳掛け紐の一端は、前記着用者の側から見て、前記マスク本体の右側上方に取り付けられ、前記右側耳掛け紐の中途は、前記着用者の側から見て、前記マスク本体の右側下方開口部を通り、前記右側耳掛け紐の先端は、第２の面状ファスナーが取り付けられ、前記着用者の側から見て、前記マスク本体の裏面の下端縁の左上方に沿って設けられた第１の被係止部に、前記第１の面状ファスナーが、前記着用者の側から見て、前記マスク本体の裏面の下端縁の右上方に沿って設けられた第２の被係止部に、前記第２の面状ファスナーが、それぞれ係止するものである。
【００１３】
また、請求項８記載のマスクは、着用者の鼻口部を覆うマスク本体と、このマスク本体に前記着用者の側から見て左側に取り付けられ、左側耳に装着する左側耳掛け紐と、前記マスク本体に前記着用者の側から見て右側に取り付けられ、右側耳に装着する右側耳掛け紐と、を備えたマスクであって、前記左側耳掛け紐の一端は、前記着用者の側から見て、前記マスク本体の左側上方に取り付けられ、前記左側耳掛け紐の中途は、前記着用者の側から見て、前記マスク本体の左側下方開口部を通り、前記左側耳掛け紐の先端は、第１の面状ファスナーが取り付けられ、前記右側耳掛け紐の一端は、前記着用者の側から見て、前記マスク本体の右側上方に取り付けられ、前記右側耳掛け紐の中途は、前記着用者の側から見て、前記マスク本体の右側下方開口部を通り、前記右側耳掛け紐の先端は、第２の面状ファスナーが取り付けられ、前記マスク本体の裏面が全体に亘って設けられた被係止部に、前記第１の面状ファスナーと前記第２の面状ファスナーが、それぞれ係止するものである。
【発明の効果】
【００１４】
請求項１記載のマスクによれば、左側耳掛け紐の一端は、着用者の側から見て、マスク本体の左側下方に取り付けられ、左側耳掛け紐の中途は、着用者の側から見て、マスク本体の左側上方開口部を通り、前記左側耳掛け紐の先端は、第１の面状ファスナーが取り付けられ、右側耳掛け紐の一端は、着用者の側から見て、マスク本体の右側下方に取り付けられ、右側耳掛け紐の中途は、着用者の側から見て、マスク本体の右側上方開口部を通り、前記右側耳掛け紐の先端は、第２の面状ファスナーが取り付けられ、上カバー体がマスク本体の内側に折り返された状態にあって、着用者の側から見て、上カバー体の部位であって、上端縁の下方左側に上端縁に沿って設けられた第１の被係止部に、第１の面状ファスナーが、上カバー体が前記マスク本体の内側に折り返された状態にあって、着用者の側から見て、上カバー体の部位であって、上端縁の下方右側に上端縁に沿って設けられた第２の被係止部に、第２の面状ファスナーが、それぞれ係止するため、係止位置を着用者の適宜位置に合わせてマスクを装着することができる。
【００１５】
また、請求項２記載のマスクによれば、左側耳掛け紐の一端は、着用者の側から見て、マスク本体の左側上方に取り付けられ、左側耳掛け紐の中途は、着用者の側から見て、マスク本体の左側下方開口部を通り、前記左側耳掛け紐の先端は、第１の面状ファスナーが取り付けられ、右側耳掛け紐の一端は、着用者の側から見て、マスク本体の右側上方に取り付けられ、右側耳掛け紐の中途は、着用者の側から見て、マスク本体の右側下方開口部を通り、前記右側耳掛け紐の先端は、第２の面状ファスナーが取り付けられ、前記下カバー体が前記マスク本体の内側に折り返された状態にあって、前記着用者の側から見て、前記下カバー体の部位であって、前記下端縁の上方左側に前記下端縁に沿って設けられた第１の被係止部に、前記第１の面状ファスナーが、前記下カバー体が前記マスク本体の内側に折り返された状態にあって、前記着用者の側から見て、前記下カバー体の部位であって、前記下端縁の上方右側に前記下端縁に沿って設けられた第２の被係止部に、前記第２の面状ファスナーが、それぞれ係止するため、係止位置を着用者の適宜位置に合わせてマスクを装着することができる。
【００１６】
また、請求項３記載のマスクによれば、左側耳掛け紐の一端は、着用者の側から見て、マスク本体の左側下方に取り付けられ、左側耳掛け紐の中途は、着用者の側から見て、マスク本体の左側上方開口部を通り、前記左側耳掛け紐の先端は、第１の面状ファスナーが取り付けられ、右側耳掛け紐の一端は、着用者の側から見て、マスク本体の右側下方に取り付けられ、右側耳掛け紐の中途は、着用者の側から見て、マスク本体の右側上方開口部を通り、前記右側耳掛け紐の先端は、第２の面状ファスナーが取り付けられ、着用者の側から見て、マスク本体の裏面の上端縁の左下方に沿って設けられた第１の被係止部に、第１の面状ファスナーが、着用者の側から見て、マスク本体の裏面の上端縁の右下方に沿って設けられた第２の被係止部に、第２の面状ファスナーが、それぞれ係止するため、係止位置を着用者の適宜位置に合わせてマスクを装着することができる。
【００１７】
また、請求項４記載のマスクによれば、左側耳掛け紐の一端は、着用者の側から見て、マスク本体の左側下方に取り付けられ、左側耳掛け紐の中途は、着用者の側から見て、マスク本体の左側上方開口部を通り、前記左側耳掛け紐の先端は、第１の面状ファスナーが取り付けられ、右側耳掛け紐の一端は、着用者の側から見て、マスク本体の右側下方に取り付けられ、右側耳掛け紐の中途は、着用者の側から見て、マスク本体の右側上方開口部を通り、前記右側耳掛け紐の先端は、第２の面状ファスナーが取り付けられ、上カバー体の表面全体に亘って設けられた被係止部に、第１の面状ファスナーと第２の面状ファスナーが、それぞれ係止するため、係止位置を着用者の適宜位置に合わせてマスクを装着することができる。
【００１８】
また、請求項５記載のマスクによれば、左側耳掛け紐の一端は、着用者の側から見て、マスク本体の左側上方に取り付けられ、前記左側耳掛け紐の中途は、前記着用者の側から見て、前記マスク本体の左側下方開口部を通り、前記左側耳掛け紐の先端は、第１の面状ファスナーが取り付けられ、前記右側耳掛け紐の一端は、前記着用の者側から見て、前記マスク本体の右側上方に取り付けられ、前記右側耳掛け紐の中途は、前記着用者の側から見て、前記マスク本体の右側下方開口部を通り、前記右側耳掛け紐の先端は、第２の面状ファスナーが取り付けられ、前記下カバー体の表面全体に亘って設けられた被係止部に、前記第１の面状ファスナーと前記第２の面状ファスナーが、それぞれ係止するため、係止位置を着用者の適宜位置に合わせてマスクを装着することができる。
【００１９】
また、請求項６記載のマスクによれば、左側耳掛け紐の一端は、着用者の側から見て、マスク本体の左側下方に取り付けられ、左側耳掛け紐の中途は、着用者の側から見て、マスク本体の左側上方開口部を通り、前記左側耳掛け紐の先端は、第１の面状ファスナーが取り付けられ、右側耳掛け紐の一端は、着用者の側から見て、マスク本体の右側下方に取り付けられ、右側耳掛け紐の中途は、着用者側から見て、マスク本体の右側上方開口部を通り、前記右側耳掛け紐の先端は、第２の面状ファスナーが取り付けられ、マスク本体の裏面が全体に亘って設けられた被係止部に、第１の面状ファスナーと第２の面状ファスナーが、それぞれ係止するため、係止位置を着用者の適宜位置に合わせてマスクを装着することができる。
【００２０】
また、請求項７記載のマスクによれば、左側耳掛け紐の一端は、着用者の側から見て、マスク本体の左側上方に取り付けられ、前記左側耳掛け紐の中途は、前記着用者の側から見て、前記マスク本体の左側下方開口部を通り、前記左側耳掛け紐の先端は、第１の面状ファスナーが取り付けられ、右側耳掛け紐の一端を、前記着用者の側から見て、前記マスク本体の右側上方に取り付けられ、前記右側耳掛け紐の中途、前記着用者の側から見て、前記マスク本体の右側下方開口部を通り、前記右側耳掛け紐の先端に第２の面状ファスナーが取り付けられ、前記着用者の側から見て、前記マスク本体の裏面の下端縁の左上方に沿って設けられた第１の被係止部に、前記第１の面状ファスナーが、前記着用者の側から見て、前記マスク本体の裏面の下端縁の右上方に沿って設けられた第２の被係止部に、前記第２の面状ファスナーが、それぞれ係止するため、係止位置を着用者の適宜位置に合わせてマスクを装着することができる。
【００２１】
また、請求項８記載のマスクによれば、左側耳掛け紐の一端は、着用者の側から見て、マスク本体の左側上方に取り付けられ、左側耳掛け紐の中途は、着用者の側から見て、マスク本体の左側下方開口部を通り、前記左側耳掛け紐の先端は、第１の面状ファスナーが取り付けられ、右側耳掛け紐の一端は、着用者の側から見て、マスク本体の右側上方に取り付けられ、右側耳掛け紐の中途は、着用者側から見て、マスク本体の右側下方開口部を通り、前記右側耳掛け紐の先端は、第２の面状ファスナーが取り付けられ、マスク本体の裏面が全体に亘って設けられた被係止部に、第１の面状ファスナーと第２の面状ファスナーが、それぞれ係止するため、係止位置を着用者の適宜位置に合わせてマスクを装着することができる。
【図面の簡単な説明】
【００２２】
【図１】図１は、本発明の一実施例のマスクの概略的斜視図である。
【図２】図２は、図１のマスクを着用者の側から見た概略的斜視図である。
【図３】図３は、図２のマスクの上カバー体をマスク本体の内側に折り返された状態の概略的斜視図である。
【図４】図４は、図２のマスクと異なる他の実施例のマスクを着用者の側から見た概略的斜視図である。
【図５】図５は、図４のマスクと異なる他の実施例のマスクの概略的斜視図である。
【図６】図６は、図５のマスクの下カバー体をマスク本体の内側に折り返された状態の概略的斜視図である。
【図７】図７は、図６のマスクと異なる他の実施例のマスクの概略的斜視図である。
【図８】図８は、図７のマスクと異なる他の実施例のマスクの概略的斜視図である。
【発明を実施するための最良の形態】
【００２３】
本発明のマスクの一実施例を図面を参照して説明する
図１乃至図３において、Ｍはマスクで、マスクＭは、着用者の鼻口部を覆うマスク本体１と、マスク本体１に着用者の側から見て左側に取り付けられ（図２参照）、左側耳に装着する左側耳掛け紐２と、マスク本体１に着用者の側から見て右側に取り付けられ、右側耳に装着する右側耳掛け紐３と、を備えている。
【００２４】
マスク本体１は、好ましくは、複数のシートからなる複数の層で構成されているのが良いが、単一のシートからなる単一の層で構成されていても良い。
また、マスク本体１は、上端縁ＲＵと、下端縁ＲＤと、下端縁ＲＤの左側と上端縁ＲＵの左側を結ぶ左端縁ＲＬと、下端縁ＲＤの右側と上端縁ＲＵの右側を結ぶ右端縁ＲＲとを有し、正面視（背面視）、略六角形をなしているが、略四角形等でも良い。
なお、図１はマスク本体１を外側から見た図であり、図２はマスク本体１を内側、つまり、着用者の側から見た図である。
【００２５】
また、図１に示す４は上カバー体で、上カバー体４は、マスク本体１の上端縁ＲＵを介してマスク本体１の内側に折り返されたもので、上カバー体４は広げて鼻周囲を覆うものである。上カバー体４はマスク本体１に連設されている。
また、図２に示す５は下カバー体で、下カバー体５は、マスク本体１の下端縁ＲＤを介してマスク本体１の内側に折り返されたもので、下カバー体５は広げて下顎の一部を覆うものである。下カバー体５はマスク本体１に連設されている。
【００２６】
左側耳掛け紐２の一端は、着用者の側から見て、マスク本体１の左側下方に熱融着、接着又は縫合等によって取り付けられ、左側耳掛け紐２の中途は、着用者の側から見て、マスク本体１の左側上方開口部１ａを通り、左側耳掛け紐２の先端は、第１の面状ファスナー６が取り付けられている。
また、右側耳掛け紐３の一端は、着用者の側から見て、マスク本体１の右側下方に熱融着、接着又は縫合等によって取り付けられ、右側耳掛け紐３の中途は、着用者の側から見て、マスク本体１の右側上方開口部１ｂを通り、右側耳掛け紐３の先端は、第２の面状ファスナー７が取り付けられている。
そして、図３に示すように、上カバー体４がマスク本体１の内側に折り返された状態にあって、着用者の側から見て、上カバー体４の部位であって、上端縁ＲＵの下方左側に上端縁ＲＵに沿って設けられた第１の被係止部８（例えば、面状ファスナー）に、第１の面状ファスナー６が係止し、上カバー体４がマスク本体１の内側に折り返された状態にあって、着用者の側から見て、上カバー体４の部位であって、上端縁ＲＵの下方右側に上端縁ＲＵに沿って設けられた第２の被係止部９（例えば、面状ファスナー）に、第２の面状ファスナー７が係止する。
【００２７】
従って、上述したマスクＭによれば、上カバー体４の、着用者の側から見て、上端縁ＲＵの下方左側に上端縁ＲＵに沿って設けられた第１の被係止部８に、第１の面状ファスナー６が、上カバー体４の、着用者の側から見て、上端縁ＲＵの下方右側に上端縁ＲＵに沿って設けられた第２の被係止部９に、第２の面状ファスナー７が、それぞれ適宜の位置で係止することができるため、係止位置を着用者の適宜位置に合わせてマスクＭを装着することができる。
【００２８】
なお、第１の被係止部８（例えば、面状ファスナー）及び第２の被係止部９（例えば、面状ファスナー）の位置は、図１及び図２記載に限らず、例えば、図４記載の位置でも良い。
【００２９】
また、上述の実施例（図１及び図２）では、第１の被係止部８（例えば、面状ファスナー）を上端縁ＲＵの下方左側に上端縁ＲＵに沿って、第２の被係止部９（例えば、面状ファスナー）を上端縁ＲＵの下方右側に上端縁ＲＵに沿って、それぞれ設けるようにしたが、第１の面状ファスナー６と第２の面状ファスナー７が係止する部位を上カバー体４の表面全体に亘って設けるようにしても良い。かかる場合、上カバー体４の表面全体に亘って面状ファスナーを設けても良いし、上カバー体４の素材自体を第１の面状ファスナー６と第２の面状ファスナー７が係止するもので構成しても良い。
かかる場合のマスクＭにおいても、上カバー体４の表面全体に亘って設けられた被係止部に、第１の面状ファスナー６と第２の面状ファスナー７が、それぞれ適宜の位置で係止することができるため、係止位置を着用者の適宜位置に合わせてマスクＭを装着することができる。
【００３０】
なお、上述の実施例（図１乃至図４）では、第１の被係止部８及び第２の被係止部９を上カバー体４に設けたものに適用したが、本願発明はこれに限らず、第１の被係止部８及び第２の被係止部９を下カバー体５に設けたものにも、同様に適用することができる。
【００３１】
即ち、図５及び図６において、マスクＭは、上述の実施例（図１乃至図４）と同様、着用者の鼻口部を覆うマスク本体１と、マスク本体１に着用者の側から見て左側に取り付けられ、左側耳に装着する左側耳掛け紐２と、マスク本体１に着用者の側から見て右側に取り付けられ、右側耳に装着する右側耳掛け紐３と、を備えている。
【００３２】
マスク本体１は、好ましくは、複数のシートからなる複数の層で構成されているのが良いが、単一のシートからなる単一の層で構成されていても良い。
また、マスク本体１は、上端縁ＲＵと、下端縁ＲＤと、下端縁ＲＤの左側と上端縁ＲＵの左側を結ぶ左端縁ＲＬと、下端縁ＲＤの右側と上端縁ＲＵの右側を結ぶ右端縁ＲＲとを有し、正面視（背面視）、略六角形をなしているが、略四角形等でも良い。なお、図５はマスク本体１を外側から見た図である。
【００３３】
また、図５及び図６に示す５は下カバー体で、下カバー体５は、マスク本体１の下端縁ＲＤを介してマスク本体１の内側に折り返されたもので、下カバー体５は広げて下顎を覆うものである。下カバー体５はマスク本体１に連設されている。なお、図６記載のマスク本体１にも、マスク本体１の上端縁ＲＵを介してマスク本体１の内側に折り返された上カバー体４が設けられ、上カバー体４は、上述の実施例（図１乃至図４）と同様、広げて鼻周囲を覆うものである。
【００３４】
左側耳掛け紐２の一端は、着用者の側から見て、マスク本体１の左側上方に熱融着、接着又は縫合等によって取り付けられ、左側耳掛け紐２の中途は、着用者の側から見て、マスク本体１の左側下方開口部１ｃを通り、左側耳掛け紐２の先端は、第１の面状ファスナー６’が取り付けられている。
また、右側耳掛け紐３の一端は、着用者の側から見て、マスク本体１の右側上方に熱融着、接着又は縫合等によって取り付けられ、右側耳掛け紐３の中途は、着用者の側から見て、マスク本体１の右側下方開口部１ｄを通り、右側耳掛け紐の先端は、第２の面状ファスナー７’が取り付けられている。
そして、図６に示すように、下カバー体５がマスク本体１の内側に折り返された状態にあって、着用者の側から見て、下カバー体５の部位であって、下端縁ＲＤの上方左側に下端縁ＲＤに沿って設けられた第１の被係止部８’に、第１の面状ファスナー６’が、下カバー体５がマスク本体１の内側に折り返された状態にあって、着用者の側から見て、下カバー体５の部位であって、下端縁ＲＤの上方右側に下端縁ＲＤに沿って設けられた第２の被係止部９’に、第２の面状ファスナー７’が、それぞれ係止する。
【００３５】
従って、上述したマスクＭによれば、左側耳掛け紐２の一端は、着用者の側から見て、マスク本体１の左側上方に取り付けられ、左側耳掛け紐２の中途は、着用者の側から見て、マスク本体１の左側下方開口部１ｃを通り、左側耳掛け紐２の先端は、第１の面状ファスナー６’が取り付けられ、右側耳掛け紐３の一端は、着用者の側から見て、マスク本体１の右側上方に取り付けられ、右側耳掛け紐３の中途は、着用者の側から見て、マスク本体１の右側下方開口部１ｄを通り、右側耳掛け紐３の先端は、第２の面状ファスナー７’が取り付けられ、下カバー体５がマスク本体１の内側に折り返された状態にあって、着用者の側から見て、下カバー体５の部位であって、下端縁ＲＤの上方左側に下端縁ＲＤに沿って設けられた第１の被係止部８’に、第１の面状ファスナー６’が、下カバー体５がマスク本体１の内側に折り返された状態にあって、着用者の側から見て、下カバー体５の部位であって、下端縁ＲＤの上方右側に下端縁ＲＤに沿って設けられた第２の被係止部９’に、第２の面状ファスナー７’が、それぞれ係止するため、係止位置を着用者の適宜位置に合わせてマスクＭを装着することができる。
【００３６】
なお、上述の実施例（図５及び図６）では、下カバー体５がマスク本体１の内側に折り返された状態にあって、第１の被係止部８’（例えば、面状ファスナー）を下端縁ＲＤの上方左側に下端縁ＲＤに沿って、第２の被係止部９’（例えば、面状ファスナー）を下端縁ＲＤの上方右側に下端縁ＲＤに沿って、それぞれ設けるようにしたが、本願発明にあっては、これに限らず、第１の面状ファスナー６’と第２の面状ファスナー７’が係止する部位を下カバー体５の表面全体に亘って設けるようにしても良い。かかる場合、下カバー体５の表面全体に亘って面状ファスナーを設けても良いし、下カバー体５の素材自体を第１の面状ファスナー６’と第２の面状ファスナー７’が係止するもので構成しても良い。
かかる場合のマスクＭにおいても、下カバー体５の表面全体に亘って設けられた被係止部に、第１の面状ファスナー６’と第２の面状ファスナー７’が、それぞれ適宜の位置で係止することができるため、係止位置を着用者の適宜位置に合わせてマスクＭを装着することができる。
【００３７】
なお、上述の実施例（図１乃至図６）では、マスク本体１に上カバー体４、下カバー体５を設けたものに適用したが、本願発明はこれに限らず、マスク本体１に上カバー体４及び下カバー体５を設けないものにも、同様に適用することができる。
即ち、図７において、マスクＭは、上述の実施例（図１乃至図６）と同様、着用者の鼻口部を覆うマスク本体１と、マスク本体１に着用者の側から見て左側に取り付けられ、左側耳に装着する左側耳掛け紐２と、マスク本体１に着用者の側から見て右側に取り付けられ、右側耳に装着する右側耳掛け紐３と、を備えている。
【００３８】
マスク本体１は、好ましくは、複数のシートからなる複数の層で構成されているのが良いが、単一のシートからなる単一の層で構成されていても良い。
また、マスク本体１は、上端縁ＲＵと、下端縁ＲＤと、下端縁ＲＤの左側と上端縁ＲＵの左側を結ぶ左端縁ＲＬと、下端縁ＲＤの右側と上端縁ＲＵの右側を結ぶ右端縁ＲＲとを有し、正面視（背面視）、略四角形をなしているが、略六角形等でも良い。なお、図７はマスク本体１を外側から見た図である。
【００３９】
左側耳掛け紐２の一端は、着用者の側から見て、マスク本体１の左側下方に熱融着、接着又は縫合等によって取り付けられ、左側耳掛け紐２の中途は、着用者の側から見て、マスク本体１の左側上方開口部１ａを通り、左側耳掛け紐２の先端は、第１の面状ファスナー６が取り付けられている。
また、右側耳掛け紐３の一端は、着用者の側から見て、マスク本体１の右側下方に熱融着、接着又は縫合等によって取り付けられ、右側耳掛け紐３の中途は、着用者の側から見て、マスク本体１の右側上方開口部１ｂを通り、右側耳掛け紐の先端は、第２の面状ファスナー７が取り付けられている。
そして、着用者の側から見て、マスク本体１の裏面の上端縁ＲＵの左下方に沿って設けられた第１の被係止部８に、第１の面状ファスナー６が、着用者の側から見て、マスク本体１の裏面の上端縁ＲＵの右下方に沿って設けられた第２の被係止部９に、第２の面状ファスナー７が、それぞれ係止する。
【００４０】
従って、上述したマスクＭによれば、左側耳掛け紐２の一端は、着用者の側から見て、マスク本体１の左側下方に取り付けられ、左側耳掛け紐２の中途は、着用者の側から見て、マスク本体１の左側上方開口部１ａを通り、左側耳掛け紐２の先端は、第１の面状ファスナー６が取り付けられ、右側耳掛け紐３の一端は、着用者の側から見て、マスク本体１の右側下方に取り付けられ、右側耳掛け紐３の中途は、着用者の側から見て、マスク本体１の右側上方開口部１ｂを通り、右側耳掛け紐３の先端は、第２の面状ファスナー７が取り付けられ、着用者の側から見て、マスク本体１の裏面の上端縁ＲＵの左下方に沿って設けられた第１の被係止部８に、第１の面状ファスナー６が、着用者の側から見て、マスク本体１の裏面の上端縁ＲＵの右下方に沿って設けられた第２の被係止部９に、第２の面状ファスナー７が、それぞれ係止するため、係止位置を着用者の適宜位置に合わせてマスクＭを装着することができる。
【００４１】
なお、上述の実施例（図７）では、着用者の側から見て、マスク本体１の裏面の上端縁ＲＵの左下方に沿って設けられた第１の被係止部８に、第１の面状ファスナー６が、着用者の側から見て、マスク本体１の裏面の上端縁ＲＵの右下方に沿って設けられた第２の被係止部９に、第２の面状ファスナー７が、それぞれ係止するようにしたが、本願発明にあっては、これに限らず、第１の面状ファスナー６’と第２の面状ファスナー７’が係止するマスク本体１の裏面が全体に亘って設けるようにしても良い。
かかる場合、マスク本体１の裏面が全体に亘って設けられた被係止部に、第１の面状ファスナー６と第２の面状ファスナー７が係止するもので構成しても良い。
かかる場合のマスクＭにおいても、マスク本体１の裏面が全体に亘って設けられた被係止部に、第１の面状ファスナー６と第２の面状ファスナー７が係止することができるため、係止位置を着用者の適宜位置に合わせてマスクＭを装着することができる。
【００４２】
クレーム７
なお、上述の実施例（図７）では、左側耳掛け紐２の一端を、着用者の側から見て、マスク本体１の左側下方に、右側耳掛け紐３の一端を、着用者の側から見て、マスク本体１の右側下方に、それぞれ熱融着、接着又は縫合等によって取り付けられたものに適用したが、本願発明はこれに限らず、左側耳掛け紐２の一端を、着用者の側から見て、マスク本体１の左側上方に、右側耳掛け紐３の一端を、着用者の側から見て、マスク本体１の右側上方に、それぞれ熱融着、接着又は縫合等によって取り付けられたものにも、同様に適用することができる。
即ち、図８において、マスクＭは、上述の実施例（図１乃至図７）と同様、着用者の鼻口部を覆うマスク本体１と、マスク本体１に着用者の側から見て左側に取り付けられ、左側耳に装着する左側耳掛け紐２と、マスク本体１に着用者の側から見て右側に取り付けられ、右側耳に装着する右側耳掛け紐３と、を備えている。
【００４３】
マスク本体１は、好ましくは、複数のシートからなる複数の層で構成されているのが良いが、単一のシートからなる単一の層で構成されていても良い。
また、マスク本体１は、上端縁ＲＵと、下端縁ＲＤと、下端縁ＲＤの左側と上端縁ＲＵの左側を結ぶ左端縁ＲＬと、下端縁ＲＤの右側と上端縁ＲＵの右側を結ぶ右端縁ＲＲとを有し、正面視、略四角形をなしているが、略六角形等でも良い。なお、図８はマスク本体１を外側から見た図である。
【００４４】
左側耳掛け紐２の一端は、着用者側から見て、マスク本体１の左側上方に熱融着、接着又は縫合等によって取り付けられ、左側耳掛け紐２の中途は、着用者側から見て、マスク本体１の左側下方開口部１ｃを通り、左側耳掛け紐２の先端は、第１の面状ファスナー６’が取り付けられている。
また、右側耳掛け紐３の一端は、着用者の側から見て、マスク本体１の右側上方に熱融着、接着又は縫合等によって取り付けられ、右側耳掛け紐３の中途は、着用者の側から見て、マスク本体１の右側下方開口部１ｄを通り、右側耳掛け紐の先端は、第２の面状ファスナー７’が取り付けられている。
そして、着用者の側から見て、マスク本体１の裏面の下端縁ＲＤの左上方に沿って設けられた第１の被係止部８’に、第１の面状ファスナー’６が、着用者の側から見て、マスク本体１の裏面の下端縁ＲＤの右上方に沿って設けられた第２の被係止部９’に、第２の面状ファスナー７’が、それぞれ係止する。
【００４５】
従って、上述したマスクＭによれば、左側耳掛け紐２の一端は、着用者の側から見て、マスク本体１の左側上方に取り付けられ、左側耳掛け紐２の中途は、着用者の側から見て、マスク本体１の左側下方開口部１ｃを通り、左側耳掛け紐２の先端は、第１の面状ファスナー６’が取り付けられ、右側耳掛け紐３の一端を、着用者の側から見て、マスク本体１の右側上方に取り付けられ、右側耳掛け紐３の中途、着用者の側から見て、マスク本体１の右側下方開口部１ｄを通り、右側耳掛け紐３の先端に第２の面状ファスナー７’が取り付けられ、着用者の側から見て、マスク本体１の裏面の下端縁ＲＤの左上方に沿って設けられた第１の被係止部８’に、第１の面状ファスナー６’が、着用者の側から見て、マスク本体１の裏面の下端縁ＲＤの右上方に沿って設けられた第２の被係止部９’に、第２の面状ファスナー７’が、それぞれ係止するため、係止位置を着用者の適宜位置に合わせてマスクＭを装着することができる。
【００４６】
なお、上述の実施例（図８）では、着用者の側から見て、マスク本体１の裏面の下端縁ＲＤの左上方に沿って設けられた第１の被係止部８’に、第１の面状ファスナー６’が、着用者の側から見て、マスク本体１の裏面の下端縁ＲＤの右上方に沿って設けられた第２の被係止部９’に、第２の面状ファスナー７’が、それぞれ係止するようにしたが、本願発明にあっては、これに限らず、第１の面状ファスナー６’と第２の面状ファスナー７’が係止するマスク本体１の裏面全体に亘って設けるようにしても良い。
かかる場合、マスク本体１の裏面が全体に亘って設けられた被係止部に、第１の面状ファスナー６’と第２の面状ファスナー７’が係止するもので構成しても良い。
かかる場合のマスクＭにおいても、マスク本体１の裏面が全体に亘って設けられた被係止部に、第１の面状ファスナー６’と第２の面状ファスナー７’が係止することができるため、係止位置を着用者の適宜位置に合わせてマスクＭを装着することができる。
【符号の説明】
【００４７】
Ｍ        マスク
１        マスク本体
２        左側耳掛け紐
３        右側耳掛け紐
４        上カバー体
６        第１の面状ファスナー
７        第２の面状ファスナー
８        第１の被係止部
９        第２の被係止部
ＲＵ      上端縁
【図１】
2015144754.tif 000003
【図５】
2015144754.tif 000004
【図７】
2015144754.tif 000005
【図８】
2015144754.tif 000006
【図２】
2015144754.tif 000007
【図３】
2015144754.tif 000008
【図４】
2015144754.tif 000009
【図６】
2015144754.tif 000010